(57)【特許請求の範囲】
【請求項１】
展開図を表す展開図画像を取得する展開図画像取得手段と、
展開図に付される線を表す線情報を、展開図を表す展開図画像を取得することによって得られる当該展開図の特徴を表す特徴情報に関連付けて記憶する記憶手段から、前記展開図画像取得手段が取得した展開図画像から得られる当該展開図画像が表す展開図の特徴を表す特徴情報に関連付けて記憶されている線情報を取得する線情報取得手段と、
前記展開図画像取得手段が取得した展開図画像と、前記線情報取得手段が取得した線情報が表す線と、を関連付ける関連付け手段と、
を含むことを特徴とする画像処理装置。
【請求項２】
包装体に対する断裁処理、破断線の形成処理、又は、折り目線形成処理の少なくとも１つを実行する加工処理実行手段によって、前記展開図画像取得手段が取得した展開図画像が表面上に形成された包装体に対して、前記関連付け手段により当該包装体の表面上に形成された展開図画像に関連付けられた線情報が表す線に沿って、断裁処理、破断線の形成処理、又は、折り目線形成処理が実行される、
ことを特徴とする請求項１に記載の画像処理装置。
【請求項３】
前記記憶手段には、複数の種別の線を表す線情報が記憶されており、
前記線情報取得手段が、複数の線を表す線情報を取得し、
前記関連付け手段が、前記展開図画像取得手段が取得した展開図画像と、前記線情報取得手段が取得した線情報が表す複数の線と、を関連付け、
前記加工処理実行手段が、前記展開図画像取得手段が取得した展開図画像が表面上に形成された包装体に対して、前記関連付け手段により当該包装体の表面上に形成された展開図画像に関連付けられた線情報が表す複数の線それぞれについて、当該線に沿って、当該線の種別に応じた処理を実行する、
ことを特徴とする請求項２に記載の画像処理装置。
【請求項４】
前記線情報取得手段が取得した線情報が表す線が、前記展開図画像取得手段が取得した展開図画像に含まれない線である、
ことを特徴とする請求項２又は３に記載の画像処理装置。
【請求項５】
展開図を表す展開図画像を取得する展開図画像取得手段、
展開図を表す展開図画像を取得することによって得られる当該展開図の特徴を表す特徴情報と、展開図に付される線を表す線情報と、を関連付けて記憶する記憶手段から、前記展開図画像取得手段が取得した展開図画像から得られる当該展開図画像が表す展開図の特徴を表す特徴情報に関連付けて記憶されている線情報を取得する線情報取得手段、
前記展開図画像取得手段が取得した展開図画像に前記線情報取得手段が取得した線情報が表す線が付された画像を出力する画像出力手段、
としてコンピュータを機能させることを特徴とするプログラム。
【発明の詳細な説明】
【技術分野】
【０００１】
本発明は、画像処理装置及びプログラムに関する。
【背景技術】
【０００２】
用紙やパッケージ（包装体）を断裁したり、用紙やパッケージ（包装体）に切断線（破線）や折り目を形成したりする装置が存在する。特許文献１には、切断線指定用インクで媒体に印刷されている切断線を識別して、識別された切断線に沿って用紙を切断するカッティングプロッタが開示されている。特許文献２には、プリントメディア表面に色・形・大きさの違うマークを配置しておき、このマークを位置合わせに使用するカッティングプロッタが開示されている。
【先行技術文献】
【特許文献】
【０００３】
【特許文献１】特開２０１０−１７８１６号公報
【特許文献２】特開２００７−２９００８７号公報
【発明の概要】
【発明が解決しようとする課題】
【０００４】
本発明は、展開図を表す展開図画像に、その展開図の特徴に応じた線を関連付けることができる画像処理装置及びプログラムを提供することを目的とする。
【課題を解決するための手段】
【０００５】
請求項１に記載の発明は、画像処理装置であって、展開図を表す展開図画像を取得する展開図画像取得手段と、展開図に付される線を表す線情報を、展開図の特徴を表す特徴情報に関連付けて記憶する記憶手段から、前記展開図画像取得手段が取得した展開図画像の特徴を表す特徴情報に関連付けて記憶されている線情報を取得する線情報取得手段と、前記展開図画像取得手段が取得した展開図画像と、前記線情報取得手段が取得した線情報が表す線と、を関連付ける関連付け手段と、を含むこととしたものである。
【０００６】
請求項２に記載の発明は、請求項１に記載の画像処理装置であって、包装体に対する断裁処理、破断線の形成処理、又は、折り目線形成処理の少なくとも１つを実行する加工処理実行手段によって、前記展開図画像取得手段が取得した展開図画像が表面上に形成された包装体に対して、前記関連付け手段により当該包装体の表面上に形成された展開図画像に関連付けられた線情報が表す線に沿って、断裁処理、破断線の形成処理、又は、折り目線形成処理が実行されることとしたものである。
【０００７】
請求項３に記載の発明は、請求項２に記載の画像処理装置であって、前記記憶手段には、複数の種別の線を表す線情報が記憶されており、前記線情報取得手段が、複数の線を表す線情報を取得し、前記関連付け手段が、前記展開図画像取得手段が取得した展開図画像と、前記線情報取得手段が取得した線情報が表す複数の線と、を関連付け、前記加工処理実行手段が、前記展開図画像取得手段が取得した展開図画像が表面上に形成された包装体に対して、前記関連付け手段により当該包装体の表面上に形成された展開図画像に関連付けられた線情報が表す複数の線それぞれについて、当該線に沿って、当該線の種別に応じた処理を実行することとしたものである。
【０００８】
請求項４に記載の発明は、請求項２又は３に記載の画像処理装置であって、前記線情報取得手段が取得した線情報が表す線が、前記展開図画像取得手段が取得した展開図画像に含まれない線であることとしたものである。
【０００９】
請求項５に記載の発明は、プログラムであって、展開図を表す展開図画像を取得する展開図画像取得手段、展開図の特徴を表す特徴情報と、展開図に付される線を表す線情報と、を関連付けて記憶する記憶手段から、前記展開図画像取得手段が取得した展開図画像の特徴を表す特徴情報に関連付けて記憶されている線情報を取得する線情報取得手段、前記展開図画像取得手段が取得した展開図画像に前記線情報取得手段が取得した線情報が表す線が付された画像を出力する画像出力手段、としてコンピュータを機能させることとしたものである。
【発明の効果】
【００１０】
請求項１，５に記載の発明によれば、展開図を表す展開図画像に、その展開図の特徴に応じた線を関連付けることができる。
【００１１】
請求項２に記載の発明によれば、展開図画像が表面上に形成された包装体に対して、展開図の特徴に応じた線に沿った、断裁処理、破断線の形成処理、又は、折り目線形成処理が実行される。
【００１２】
請求項３に記載の発明によれば、展開図画像が表面上に形成された包装体に対して、展開図の特徴に応じた線の種別に応じた処理が実行される。
【００１３】
請求項４に記載の発明によれば、展開図の特徴に応じた、展開図画像に含まれない線に沿った、断裁処理、破断線の形成処理、又は、折り目線形成処理が実行される。
【図面の簡単な説明】
【００１４】
【図１】本発明の一実施形態に係る画像処理装置のハードウェア構成の一例を示す図である。
【図２】本発明の一実施形態に係る画像処理装置により実現される機能の一例を示す機能ブロック図である。
【図３】パッケージ構造情報の一例を示す図である。
【図４】特徴パッケージ構造関連付け情報の一例を示す図である。
【図５】デザインテンプレート情報の一例を示す図である。
【図６】個別画像基礎情報の一例を示す図である。
【図７】包装体対応画像の一例を示す図である。
【図８】線情報画像の一例を示す図である。
【図９】加工後包装体の一例を示す図である。
【発明を実施するための形態】
【００１５】
以下、本発明の一実施形態について図面に基づき詳細に説明する。
【００１６】
図１は、本実施形態に係る画像処理装置１０のハードウェア構成の一例を示す図である。図１に例示するように、本実施形態に係る画像処理装置１０は、例えば、制御部１２、記憶部１４、ユーザインタフェース（ＵＩ）部１６、プリンタ部１８、スキャナ部２０、カッティングプロッタ部２２、を含んでいる。これらの要素は、バスや通信手段などを介して接続される。
【００１７】
制御部１２は、ＣＰＵなどのプログラム制御デバイスであり、画像処理装置１０にインストールされるプログラムに従って動作する。記憶部１４は、ＲＯＭやＲＡＭなどの記憶素子やハードディスクドライブなどである。記憶部１４には、制御部１２によって実行されるプログラムなどが記憶される。また、記憶部１４は、制御部１２のワークメモリとしても動作する。ＵＩ部１６は、タッチパネルや、液晶ディスプレイ及び入力用デバイス（キーボード、マウス等）等によって構成される。ＵＩ部１６は、制御部１２から入力される指示に従って、制御部１２から入力されるデータに基づく画面（例えば、ユーザに指示の入力を促すメニュー画面）を表示する。また、ＵＩ部１６は、ユーザからの指示の入力を受け入れて、その入力内容を制御部１２に出力する。プリンタ部１８は、紙媒体やパッケージ（包装体）などの記録媒体を印刷する。プリンタ部１８は、例えば、制御部１２から入力される情報に基づいて、紙媒体やパッケージ（包装体）などの記録媒体上に画像を形成する。スキャナ部２０は、紙媒体やパッケージ（包装体）などの記録媒体に印刷されている内容を読み取る。スキャナ部２０は、本実施形態では、例えば、紙媒体やパッケージ（包装体）などの記録媒体の表面を光学的に読み取り、読み取った内容に対応する画像を制御部１２に出力する。カッティングプロッタ部２２は、例えば、制御部１２から入力される情報に基づいて、紙媒体やパッケージ（包装体）などの記録媒体に対して、断裁処理を実行したり、切断線（破線）や折り目線の形成処理を実行したりする。
【００１８】
図２は、本実施形態に係る画像処理装置１０により実現される機能の一例を示す機能ブロック図である。図２に例示するように、画像処理装置１０は、本実施形態では、例えば、情報記憶部３０、展開図画像生成部３２、面付け部３４、包装体出力部３６、展開図画像取得部３８、特徴抽出部４０、線情報取得部４２、関連付け部４４、加工処理実行部４６、を含んでいる。情報記憶部３０は、記憶部１４を主として実現される。包装体出力部３６は、プリンタ部１８と制御部１２を主として実現される。展開図画像取得部３８は、スキャナ部２０と制御部１２を主として実現される。加工処理実行部４６は、カッティングプロッタ部２２を主として実現される。その他の要素は、制御部１２を主として実現される。
【００１９】
これらの要素は、コンピュータである画像処理装置１０にインストールされたプログラムを、画像処理装置１０の制御部１２で実行することにより実現されている。このプログラムは、例えば、ＣＤ−ＲＯＭ、ＤＶＤ−ＲＯＭなどのコンピュータ可読な情報記憶媒体を介して、あるいは、インターネットなどの通信手段を介して画像処理装置１０に供給される。
【００２０】
情報記憶部３０は、本実施形態では、例えば、面付け情報、パッケージ構造情報５０（図３参照）、特徴パッケージ構造関連付け情報５２（図４参照）を記憶する。図３は、パッケージ構造情報５０の一例を示す図である。図４は、特徴パッケージ構造関連付け情報５２の一例を示す図である。これらの情報については後述する。
【００２１】
展開図画像生成部３２は、本実施形態では、例えば、図５に例示するデザインテンプレート情報５４と、図６に例示する個別画像基礎情報５６と、を取得する。そして、展開図画像生成部３２は、デザインテンプレート情報５４と、個別画像基礎情報５６と、に基づいて、展開図画像５８（本実施形態では、例えば、第１展開図画像５８−１、第２展開図画像５８−２、第３展開図画像５８−３、第４展開図画像５８−４、第５展開図画像５８−５、及び、第６展開図画像５８−６）を生成する（図７参照）。
【００２２】
デザインテンプレート情報５４は、例えば、展開図画像５８の雛型を定義する情報であり、展開図の輪郭の形状を示す輪郭情報６０と、ファイル名に関連付けられた展開図に貼り付ける対象となる画像を示す貼り付け画像情報６２と、を少なくとも含んでいる。個別画像基礎情報５６は、例えば、ＣＳＶ形式のデータであり、展開図の識別子である展開図番号、展開図に付される文字列を示す付与文字列情報、展開図に貼り付けられる画像のファイル名を示す貼り付け画像ファイル名情報、展開図の背景色を示す背景色情報、を含んでいる。
【００２３】
そして、展開図画像生成部３２は、本実施形態では、例えば、図５に例示するデザインテンプレート情報５４と、図６に例示する個別画像基礎情報５６と、に基づいて、６つの展開図画像５８（第１展開図画像５８−１、第２展開図画像５８−２、第３展開図画像５８−３、第４展開図画像５８−４、第５展開図画像５８−５、及び、第６展開図画像５８−６）を生成する。展開図画像生成部３２は、具体的には、例えば、展開図の輪郭の形状が、輪郭情報６０が示す形状に対応しており、個別画像基礎情報５６に含まれる画像ファイル名情報に対応する画像が展開図に貼り付けられ、個別画像基礎情報５６に含まれる付与文字列情報が示す文字列が展開図に付与され、個別画像基礎情報５６に含まれる背景色情報が示す色が展開図の背景色として設定された展開図画像５８を生成する。
【００２４】
面付け部３４は、本実施形態では、例えば、情報記憶部３０に記憶されている面付け情報に基づいて、展開図画像生成部３２が生成した各展開図画像５８を、包装体（具体的には、例えば、用紙や、ボール紙や、段ボールなど）に対応する包装体対応画像６４（図７参照）内の領域に割り付ける処理（面付け処理）を実行する。
【００２５】
面付け情報は、例えば、１つの包装体に割り付けられる展開図画像５８の個数を示す面付け面情報、各展開図画像５８が配置される向き及び位置を示す位置情報、出力される包装体のサイズを示すサイズ情報、を含んでいる。
【００２６】
図７は、包装体対応画像６４の一例を示す図である。本実施形態では、例えば、包装体対応画像６４には、６個の展開図画像５８（第１展開図画像５８−１、第２展開図画像５８−２、第３展開図画像５８−３、第４展開図画像５８−４、第５展開図画像５８−５、及び、第６展開図画像５８−６）が割り付けられる。なお、面付け部３４は、公知の画像処理技術により、できるだけ余白が少なくなるよう、各展開図画像５８を包装体対応画像６４内の領域に割り付けるようにしてもよい。図７に例示する包装体対応画像６４では、個別画像基礎情報５６に含まれる展開図番号の値が１である展開図画像（第１展開図画像５８−１）が左上に配置され、個別画像基礎情報５６に含まれる展開図番号の値が２である展開図画像（第２展開図画像５８−２）が左中に配置され、個別画像基礎情報５６に含まれる展開図番号の値が３である展開図画像（第３展開図画像５８−３）が左下に配置され、個別画像基礎情報５６に含まれる展開図番号の値が４である展開図画像（第４展開図画像５８−４）が右上に配置され、個別画像基礎情報５６に含まれる展開図番号の値が５である展開図画像（第５展開図画像５８−５）が右中に配置され、個別画像基礎情報５６に含まれる展開図番号の値が６である展開図画像（第６展開図画像５８−６）が右下に配置されている。また、図７に例示する包装体対応画像６４では、第１展開図画像５８−１及び第５展開図画像５８−５の背景色はオレンジ色であり、第２展開図画像５８−２及び第６展開図画像５８−６の背景色は青色であり、第３展開図画像５８−３及び第４展開図画像５８−４の背景色は緑色である。
【００２７】
図７に例示するように、本実施形態では、例えば、各展開図画像５８には、断裁線、破断線、あるいは、折り目線などといった、加工処理実行部４６が処理を実行する際に参照される線は含まれていない。
【００２８】
包装体出力部３６は、本実施形態では、例えば、包装体対応画像６４が表面上に形成された包装体を印刷出力する。
【００２９】
展開図画像取得部３８は、本実施形態では、例えば、包装体出力部３６が出力した包装体の表面を読み取って（スキャンして）、包装体の表面上に形成された包装体対応画像６４を取得する。そして、展開図画像取得部３８は、本実施形態では、例えば、公知の画像処理技術を用いて、包装体対応画像６４に含まれる複数の展開図画像５８を識別して、これらの展開図画像５８を取得する。
【００３０】
特徴抽出部４０は、展開図画像取得部３８が取得した各展開図画像５８について、公知の画像処理技術を用いて、展開図画像５８の特徴を抽出する。特徴抽出部４０は、本実施形態では、例えば、展開図画像５８に貼り付けられた画像を抽出する。
【００３１】
線情報取得部４２は、本実施形態では、例えば、情報記憶部３０に記憶されているパッケージ構造情報５０、特徴パッケージ構造関連付け情報５２、及び、特徴抽出部４０が抽出した展開図画像５８の特徴に基づいて、展開図画像５８に対応するパッケージ構造情報５０を特定する。
【００３２】
パッケージ構造情報５０は、図３に例示するように、パッケージ構造情報５０の識別子であるパッケージ構造識別子、及び、展開図画像５８が表面上に形成された包装体に対して加工処理実行部４６が処理を実行する際に参照される、断裁線、破断線、あるいは、折り目線などの線を表す線情報を含んでいる。線情報は、本実施形態では、例えば、線の種別（断裁線（例えば、図３中の実線に対応）、破断線（例えば、図３中の太破線に対応）、あるいは、折り目線（例えば、図３中の細破線に対応））を示す情報と、その線が配置される、展開図画像５８内における位置を示す情報と、を含んでいる。
【００３３】
本実施形態では、図３に例示するように、各展開図画像５８の断裁線（外形線）は同一であり、展開図を組み立てることによりできあがる箱を開くための切り取り線の形状が異なることとなる。
【００３４】
特徴パッケージ構造関連付け情報５２は、例えば、パッケージ構造情報５０と、展開図画像５８の特徴を表す特徴情報（具体的には、例えば、図形、文字列、バーコードなどを表す情報）と、を関連付けた情報である。図４の例では、特徴パッケージ構造関連付け情報５２は、パッケージ構造識別子と、展開図画像５８に貼り付けられている画像のファイル名を示す貼り付け画像ファイル名情報と、が関連付けられている。
【００３５】
そして、線情報取得部４２は、本実施形態では、例えば、各展開図画像５８について、特徴抽出部４０により抽出された、展開図画像５８の特徴を特定する情報に基づいて、展開図画像５８に対応するパッケージ構造情報５０を特定する。線情報取得部４２は、より具体的には、例えば、特徴抽出部４０により抽出された画像（貼り付け画像）に基づいて、貼り付け画像のファイル名を特定して、特定されたファイル名を示す貼り付け画像ファイル名情報に関連付けられているパッケージ構造識別子が含まれるパッケージ構造情報５０を特定する。
【００３６】
そして、線情報取得部４２は、本実施形態では、例えば、特定されたパッケージ構造情報５０に含まれる線情報を取得する。なお、線情報取得部４２は、展開図画像５８に対応するパッケージ構造情報５０が存在しないと判定した場合に、画像処理装置１０による処理を停止させたり、利用者にその旨を通知したり、予め定められた規則に従って決定されるパッケージ構造情報５０を特定したりしてもよい。
【００３７】
関連付け部４４は、本実施形態では、例えば、線情報取得部４２が取得した線情報を、対応する展開図画像５８に関連付ける。関連付け部４４は、例えば、複数の展開図画像５８が含まれる包装体対応画像６４に対応する線情報を表す線情報画像６６（図８参照）を生成する。図８に、６つの展開図画像５８が含まれる包装体対応画像６４に対応する線情報画像６６の一例を示す。図８に例示する線情報画像６６は、それぞれが展開図画像５８に対応する部分線情報画像６８（第１部分線情報画像６８−１、第２部分線情報画像６８−２、第３部分線情報画像６８−３、第４部分線情報画像６８−４、第５部分線情報画像６８−５、及び、第６部分線情報画像６８−６）を含んでいる。そして、第ｎ部分線情報画像６８−ｎは、第ｎ展開図画像５８−ｎに対応している（ｎ＝１，２，・・・，６）。関連付け部４４は、本実施形態では、例えば、包装体対応画像６４内における第ｎ展開図画像５８−ｎの位置及び向きが、線情報画像６６内における第ｎ部分線情報画像６８−ｎの位置及び向きに対応するよう、第ｎ部分線情報画像６８−ｎを線情報画像６６内に配置する（ｎ＝１，２，・・・，６）。
【００３８】
なお、関連付け部４４が、線情報画像６６の代わりに、複数の展開図画像５８が含まれる包装体対応画像６４と、線情報を合成した合成画像を生成するようにしてもよい。
【００３９】
加工処理実行部４６は、本実施形態では、例えば、包装体対応画像６４が表面上に印刷された包装体に対して、包装体対応画像６４に基づいて生成された線情報画像６６に従った加工処理を実行する。加工処理実行部４６は、例えば、包装体対応画像６４に関連付けられた線情報が表す線に沿って、断裁処理、破断線の形成処理、又は、折り目線形成処理を実行する。ここで、加工処理実行部４６は、線情報が表す線に沿って、その線情報が表す線の種別（例えば、断裁線（例えば、図８中の実線に対応）、破断線（例えば、図８中の太破線に対応）、あるいは、折り目線（例えば、図８中の細破線に対応））に応じた処理を実行するようにしてもよい。
【００４０】
図９に、図７に示す包装体対応画像６４が表面上に形成された包装体に対して、図８に示す線情報画像６６が表す線に沿った加工を行った後の包装体である、加工後包装体７０（第１加工後包装体７０−１、第２加工後包装体７０−２、第３加工後包装体７０−３、第４加工後包装体７０−４、第５加工後包装体７０−５、及び、第６加工後包装体７０−６）の一例を示す。図９に例示する加工後包装体７０では、第ｎ加工後包装体７０−ｎは、第ｎ展開図画像５８−ｎ及び第ｎ部分線情報画像６８−ｎに対応している（ｎ＝１，２，・・・，６）。そして、図９に例示する加工後包装体７０では、実線は加工後包装体７０の輪郭を示しており、太破線は破断線の形成処理がされた箇所を示しており、細破線は折り目線の形成処理がされた箇所を示している。
【００４１】
なお、本発明は上述の実施形態に限定されるものではない。
【００４２】
例えば、特徴パッケージ構造関連付け情報５２に含まれる特徴情報は、貼り付け画像ファイル名情報に限定されない。特徴パッケージ構造関連付け情報５２に含まれる特徴情報は、例えば、展開図画像５８に貼り付けられた画像が示す図形の形状、展開図画像５８に付与された文字列、又は、展開図画像５８に付与されたバーコード、などでも構わない。そして、特徴抽出部４０が、パッケージ構造識別子に関連付けられている特徴情報が示す特徴を抽出するようにしてもよい。そして、線情報取得部４２が、特徴パッケージ構造関連付け情報５２において、特徴抽出部４０が抽出した特徴に関連付けられているパッケージ構造識別子に対応する線情報を取得するようにしてもよい。
【００４３】
また、特徴抽出部４０は、例えば、展開図の輪郭よりも外に配置されている情報（画像、文字列、バーコードなど）の特徴を抽出するようにしてもよい。
【００４４】
また、例えば、本実施形態におけるデザインテンプレート情報５４に、貼り付け画像情報６２が示す画像が貼り付けられる位置及び向きを示す画像貼り付け態様情報、及び、付与文字列情報が示す文字列が付される位置及び向きを示す文字列付与態様情報が含まれていてもよい。そして、展開図画像生成部３２が、例えば、展開図の輪郭の形状が、輪郭情報６０が示す形状に対応しており、デザインテンプレート情報５４に含まれる貼り付け画像態様情報が示す位置に、貼り付け画像態様情報が示す向きで個別画像基礎情報５６に含まれる画像ファイル名情報に対応する画像が貼り付けられ、デザインテンプレート情報５４に含まれる文字列付与位置情報が示す位置に、文字列付与位置情報が示す向きで個別画像基礎情報５６に含まれる付与文字列情報が示す文字列が付与され、個別画像基礎情報５６に含まれる背景色情報が示す色が背景色として設定された展開図画像５８を生成するようにしてもよい。
【００４５】
また、例えば、線情報が、線情報が表す線と展開図画像５８との位置関係（例えば、線情報が表す線の展開図画像５８に対する相対位置や、線情報が表す線の展開図画像５８に対する拡大率や縮小率）を示す位置関係情報を含んでいてもよい。そして、関連付け部４４が、線情報画像６６内における第ｎ部分線情報画像６８−ｎの位置と包装体対応画像６４に含まれる第ｎ展開図画像５８−ｎの位置との関係が、線情報取得部４２により取得される線情報に含まれる位置関係情報が示す位置関係に従うよう、線情報画像６６を生成するようにしてもよい。
【００４６】
また、例えば、関連付け部４４が、展開図画像５８が表面上に印刷された包装体の表面上に、線情報取得部４２が取得した線情報が表す線を重ねて印刷して出力するようにしてもよい。そして、加工処理実行部４６が、線情報が表す線が印刷された包装体に対して、線情報が表す線に沿って、断裁処理や、破断線の形成処理や、折り目線形成処理を実行するようにしてもよい。
【００４７】
また、例えば、展開図画像生成部３２、面付け部３４、及び、包装体出力部３６が、上述の画像処理装置１０とは異なる独立した装置により実現されていてもよい。また、例えば、カッティングプロッタ部２２が、上述の画像処理装置１０とは異なる独立した装置により実現されていてもよい。また、カッティングプロッタ部２２が、高機能なカッティングプロッタなどの加工処理機の一機能として実現されていてもよい。
【００４８】
また、例えば、面付け部３４が上述の面付け処理を実行しなくてもよい。
【００４９】
なお、上述の具体的な数値や文字列は例示であり、これらの数値や文字列には限定されない。
【符号の説明】
【００５０】
１０  画像処理装置、１２  制御部、１４  記憶部、１６  ユーザインタフェース（ＵＩ）部、１８  プリンタ部、２０  スキャナ部、２２  カッティングプロッタ部、３０  情報記憶部、３２  展開図画像生成部、３４  面付け部、３６  包装体出力部、３８  展開図画像取得部、４０  特徴抽出部、４２  線情報取得部、４４  関連付け部、４６  加工処理実行部、５０  パッケージ構造情報、５２  特徴パッケージ構造関連付け情報、５４  デザインテンプレート情報、５６  個別画像基礎情報、５８  展開図画像、６０  輪郭情報、６２  貼り付け画像情報、６４  包装体対応画像、６６  線情報画像、６８  部分線情報画像、７０  加工後包装体。
【図１】
0005659615.tif 000002
【図２】
0005659615.tif 000003
【図３】
0005659615.tif 000004
【図４】
0005659615.tif 000005
【図５】
0005659615.tif 000006
【図６】
0005659615.tif 000007
【図７】
0005659615.tif 000008
【図８】
0005659615.tif 000009
【図９】
0005659615.tif 000010